(57)【特許請求の範囲】
【請求項１】
動物用排泄物処理材の製造方法であって、
粉砕され加水された原材料を造粒し粒状コア層材料を得る工程と、
前記粒状コア層材料に液状着色料を不均一に塗布し着色コア層材料を得る工程と、
前記着色コア層材料に被覆材料を被覆し被覆粒状材料を得る工程と、
前記被覆粒状材料を乾燥させる工程と、
を有し、
前記着色コア層材料に前記被覆材料を被覆し前記被覆粒状材料を得る工程においては、前記着色コア層材料に前記被覆材料を配置する工程と、前記被覆材料が配置された前記着色コア層材料に振動を加える工程とを有し、
前記着色コア層材料に前記被覆材料を配置する工程においては、前記粉砕され加水された原材料を造粒し粒状コア層材料を得る工程における水分と、前記粒状コア層材料に液状着色料を塗布し着色コア層材料を得る工程における水分とにより膨潤され粘着性が発現した状態の着色コア層材料に対し前記被覆材料が配置され、
前記被覆材料が配置された前記着色コア層材料に振動を加える工程においては、前記着色コア層材料が搬送機構により搬送されるとともに、前記振動により前記着色コア層材料が前記搬送機構から跳躍し、前記搬送機構へ落下することにより前記被覆材料が前記着色コア層材料に押し付けられることを特徴とする動物用排泄物処理材の製造方法。
【請求項２】
請求項１に記載された動物用排泄物処理材の製造方法であって、
前記着色コア層材料に前記被覆材料を配置する工程においては、回転ドラムが使用されることを特徴とする動物用排泄物処理材の製造方法。
【請求項３】
請求項１または２に記載された動物用排泄物処理材の製造方法であって、」
前記被覆粒状材料を乾燥させる工程においては、前記被覆粒状材料の下方から熱風が吹きつけられることにより、前記被覆粒状材料が浮遊と落下を繰り返しながら乾燥されることを特徴とする動物用排泄物処理材の製造方法。
【請求項４】
請求項１〜３のいずれか１項に記載された動物用排泄物処理材の製造方法であって、
前記着色コア層材料に前記被覆材料を被覆し前記被覆粒状材料を得る工程は、次工程として、前記被覆粒状材料の大きさを選別する工程を有し、
前記被覆粒状材料を乾燥させる工程においては、前記被覆粒状材料の大きさを選別する工程にて選別された前記被覆材料が乾燥されることを特徴とする動物用排泄物処理材の製造方法。
【請求項５】
請求項４に記載された動物用排泄物処理材の製造方法であって、
前記被覆粒状材料の大きさを選別する工程においては、ふるいが使用されることを特徴とする動物用排泄物処理材の製造方法。
【請求項６】
請求項１〜５のいずれか１項に記載された動物用排泄物処理材の製造方法であって、
前記粉砕され加水された前記原材料を造粒し前記粒状コア層材料を得る工程は、前記原材料を粉砕することによって粉砕材料を得る工程と、前記粉砕材料を加水した後で混練することによって練状コア層材料を得る工程と、前記練状コア層材料から前記粒状コア層材料を得る工程とを有し、
前記原材料を粉砕することによって粉砕材料を得る工程においては、粉砕機により前記原材料を粉砕することによって前記粉砕材料が得られ、
前記粉砕機は、第１の粉砕機と、当該第１の粉砕機に連続された第２の粉砕機とにより構成されており、
前記第１の粉砕機は、第１のメッシュスクリーンと、当該第１のメッシュスクリーンに設けられた第１の開口とを有し、
前記第２の粉砕機は、第２のメッシュスクリーンと、当該第２のメッシュスクリーンに設けられた第２の開口とを有し、
前記第１の開口は、前記第２の開口よりも大きく形成されることにより、前記原材料である使い捨ておむつの製造工程にて発生した使い捨ておむつのロス資材から、前記粉砕材料であるパルプと高吸水性ポリマーを得る構成とされ、
前記練状コア層材料から前記粒状コア層材料を得る工程においては、前記練状コア層材料に所定の圧力を加えて排出口から排出する押出し式圧縮造粒機と、当該押出し式圧縮造粒機から押し出された前記練状コア層材料を切断し前記粒状コア層材料を得る回転ブレードとを有し、
前記押出し式圧縮造粒機の前記排出口から排出された前記練状コア層材料には、当該練状コア層材料が前記排出口から排出される際に前記圧力から解放されることにより発生する亀裂による亀裂部が形成されることを特徴とする動物用排泄物処理材の製造方法。
【請求項７】
請求項１〜６のいずれか１項に記載された動物用排泄物処理材の製造方法であって、
前記被覆材料が配置された前記着色コア層材料に振動を加える工程においては、前記着色コア層材料における前記亀裂部を含む表面に前記被覆材料が被覆されることを特徴とする動物用排泄物処理材の製造装置。
【請求項８】
請求項１〜７のいずれか1項に記載された動物用排泄物処理材の製造方法であって、
前記粒状コア層材料に前記液状着色料を不均一に塗布し前記着色コア層材料を得る工程においては、前記粒状コア層材料が収容可能に形成された内壁面を有する着色料塗布室と、当該着色料塗布室を有するとともに回転機構により回転される回転ドラムと、前記液状着色料を噴出するノズルと、当該ノズルに対し前記液状着色料を供給するパイプとを有する着色料塗布機が使用され、
前記粒状コア層材料に前記液状着色料を不均一に塗布し前記着色コア層材料を得る工程は、前記粒状コア層材料を前記回転ドラムに搬入する工程と、前記回転ドラム内にて前記粒状コア層材料を落下させる工程と、前記回転ドラム内にて前記落下状態の粒状コア層材料に前記液状着色料を噴出する工程とを有し、
前記粒状コア層材料を前記回転ドラムに搬入する工程においては、前記粒状コア層材料を前記回転ドラムにおける前記着色料塗布室に搬入し、
前記回転ドラム内にて前記粒状コア層材料を落下させる工程においては、前記回転機構により回転された前記回転ドラムにて前記粒状コア層材料に加えられた遠心力よりも重力の方が大きくなることによって前記粒状コア層材料が前記着色料塗布室の前記内壁面から離間するとともに回転しつつ落下され、
前記回転ドラム内にて前記落下状態の粒状コア層材料に前記液状着色料を噴出する工程においては、前記回転しつつ落下される前記粒状コア層材料における落下方向と交差する方向から前記液状着色料を前記ノズルにより噴出することにより、
前記粒状コア層材料に前記着色料が含浸された第１の領域と、
前記粒状コア層材料に前記着色料が含浸されるとともに含浸されきれなかった前記液状着色料が前記粒状コア層材料の表面上において硬化されることにより形成された第２の領域と、
前記粒状コア層材料の表面上に前記液状着色料が塗布されていない領域である第３の領域の内、少なくとも二つの領域が形成されることを特徴とする動物用排泄物処理材の製造方法。
【請求項９】
請求項１〜８のいずれか１項に記載された動物用排泄物処理材の製造方法において、
前記粉砕材料であるパルプは第１のパルプを形成し、高吸水性ポリマーは第１の高吸水性ポリマーは第１の高吸水性ポリマーを形成することを特徴とする動物用排泄物処理材の製造方法。
【請求項１０】
請求項１〜９のいずれか１項に記載された動物用排泄物処理材の製造方法において、
前記被覆材料は、第２のパルプと、第２の高吸水性ポリマーと、吸水することにより接着性を発現可能に形成されている吸水性接着剤とにより構成されることを特徴とする動物用排泄物処理材の製造方法。
【請求項１１】
動物用排泄物処理材の製造装置であって、
粉砕され加水された原材料を造粒し粒状コア層材料を得る装置と、
前記粒状コア層材料に液状着色料を不均一に塗布し着色コア層材料を得る装置と、
前記着色コア層材料に被覆材料を被覆し被覆粒状材料を得る装置と、
前記被覆粒状材料を乾燥させる装置と、
を有し、
前記着色コア層材料に前記被覆材料を被覆し前記被覆粒状材料を得る装置においては、前記着色コア層材料に前記被覆材料を配置する装置と、前記被覆材料が配置された前記着色コア層材料に振動を加える装置とを有し、
前記着色コア層材料に前記被覆材料を配置する装置においては、前記粉砕され加水された原材料を造粒し粒状コア層材料を得る装置により加えられた水分と、前記粒状コア層材料に液状着色料を塗布し着色コア層材料を得る装置により加えられた水分とにより膨潤され粘着性が発現した状態の着色コア層材料に対し前記被覆材料が配置され、
前記被覆材料が配置された前記着色コア層材料に振動を加える装置においては、前記着色コア層材料が搬送機構により搬送されるとともに、前記振動により前記着色コア層材料が前記搬送機構から跳躍し、前記搬送機構へ落下することにより前記被覆材料が前記着色コア層材料に押し付けられることを特徴とする動物用排泄物処理材の製造装置。
【請求項１２】
請求項１１に記載された動物用排泄物処理材の製造装置であって、
前記着色コア層材料に前記被覆材料を配置する装置においては、回転ドラムが使用されることを特徴とする動物用排泄物処理材の製造装置。
【請求項１３】
請求項１１または１２に記載された動物用排泄物処理材の製造装置であって、」
前記被覆粒状材料を乾燥させる装置においては、前記被覆粒状材料の下方から熱風が吹きつけられることにより、前記被覆粒状材料が浮遊と落下を繰り返しながら乾燥されることを特徴とする動物用排泄物処理材の製造装置。
【請求項１４】
請求項１１〜１３のいずれか１項に記載された動物用排泄物処理材の製造装置であって、
前記着色コア層材料に前記被覆材料を被覆し前記被覆粒状材料を得る装置は、さらに、前記被覆粒状材料の大きさを選別する装置を有し、
前記被覆粒状材料を乾燥させる装置においては、前記被覆粒状材料の大きさを選別する装置にて選別された前記被覆材料が乾燥されることを特徴とする動物用排泄物処理材の製造装置。
【請求項１５】
請求項１４に記載された動物用排泄物処理材の製造装置であって、
前記被覆粒状材料の大きさを選別する装置においては、ふるいが使用されることを特徴とする動物用排泄物処理材の製造装置。
【請求項１６】
請求項１１〜１５のいずれか１項に記載された動物用排泄物処理材の製造装置であって、
前記粉砕され加水された前記原材料を造粒し前記粒状コア層材料を得る装置は、前記原材料を粉砕することによって粉砕材料を得る装置と、前記粉砕材料を加水した後で混練することによって練状コア層材料を得る装置と、前記練状コア層材料から前記粒状コア層材料を得る装置とを有し、
前記原材料を粉砕することによって粉砕材料を得る装置においては、粉砕機により前記原材料を粉砕することによって前記粉砕材料が得られ、
前記粉砕機は、第１の粉砕機と、当該第１の粉砕機に連続された第２の粉砕機とにより構成されており、
前記第１の粉砕機は、第１のメッシュスクリーンと、当該第１のメッシュスクリーンに設けられた第１の開口とを有し、
前記第２の粉砕機は、第２のメッシュスクリーンと、当該第２のメッシュスクリーンに設けられた第２の開口とを有し、
前記第１の開口は、前記第２の開口よりも大きく形成されることにより、前記原材料である使い捨ておむつの製造装置にて発生した使い捨ておむつのロス資材から、前記粉砕材料であるパルプと高吸水性ポリマーを得る構成とされ、
前記練状コア層材料から前記粒状コア層材料を得る装置においては、前記練状コア層材料に所定の圧力を加えて排出口から排出する押出し式圧縮造粒機と、当該押出し式圧縮造粒機から押し出された前記練状コア層材料を切断し前記粒状コア層材料を得る回転ブレードとを有し、
前記押出し式圧縮造粒機の前記排出口から排出された前記練状コア層材料には、当該練状コア層材料が前記排出口から排出される際に前記圧力から解放されることにより発生する亀裂による亀裂部が形成されることを特徴とする動物用排泄物処理材の製造装置。
【請求項１７】
請求項１１〜１６のいずれか１項に記載された動物用排泄物処理材の製造装置であって、
前記被覆材料が配置された前記着色コア層材料に振動を加える装置においては、前記着色コア層材料における前記亀裂部を含む表面に前記被覆材料が被覆されることを特徴とする動物用排泄物処理材の製造装置。
【請求項１８】
請求項１１〜１７のいずれか1項に記載された動物用排泄物処理材の製造装置であって、
前記粒状コア層材料に前記液状着色料を不均一に塗布し前記着色コア層材料を得る装置においては、前記粒状コア層材料が収容可能に形成された内壁面を有する着色料塗布室と、当該着色料塗布室を有するとともに回転機構により回転される回転ドラムと、前記液状着色料を噴出するノズルと、当該ノズルに対し前記液状着色料を供給するパイプとを有する着色料塗布機が使用され、
前記粒状コア層材料に前記液状着色料を不均一に塗布し前記着色コア層材料を得る装置は、前記回転ドラム内にて前記粒状コア層材料を落下させる装置と、前記回転ドラム内にて前記落下状態の粒状コア層材料に前記液状着色料を噴出する装置とを有し、
前記回転ドラム内にて前記粒状コア層材料を落下させる装置においては、前記回転機構により回転された前記回転ドラムにて前記粒状コア層材料に加えられた遠心力よりも重力の方が大きくなることによって前記粒状コア層材料が前記着色料塗布室の前記内壁面から離間するとともに回転しつつ落下され、
前記回転ドラム内にて前記落下状態の粒状コア層材料に前記液状着色料を噴出する装置においては、前記回転しつつ落下される前記粒状コア層材料における落下方向と交差する方向から前記液状着色料を前記ノズルにより噴出することにより、
前記粒状コア層材料に前記着色料が含浸された第１の領域と、
前記粒状コア層材料に前記着色料が含浸されるとともに含浸されきれなかった前記液状着色料が前記粒状コア層材料の表面上において硬化されることにより形成された第２の領域と、
前記粒状コア層材料の表面上に前記液状着色料が塗布されていない領域である第３の領域の内、少なくとも二つの領域が形成されることを特徴とする動物用排泄物処理材の製造装置。
【請求項１９】
請求項１１〜１８のいずれか１項に記載された動物用排泄物処理材の製造装置において、
前記粉砕材料であるパルプは第１のパルプを形成し、高吸水性ポリマーは第１の高吸水性ポリマーは第１の高吸水性ポリマーを形成することを特徴とする動物用排泄物処理材の製造装置。
【請求項２０】
請求項１１〜１９のいずれか１項に記載された動物用排泄物処理材の製造装置において、
前記被覆材料は、第２のパルプと、第２の高吸水性ポリマーと、吸水することにより接着性を発現可能に形成されている吸水性接着剤とにより構成されることを特徴とする動物用排泄物処理材の製造装置。
【発明の詳細な説明】
【技術分野】
【０００１】
本発明は、動物用排泄物処理材の構築技術に関するものである。
【背景技術】
【０００２】
従来より、排泄物を吸収した際に異なる配色へ変化することができる動物用排泄物処理材が種々提案されている。このような動物用排泄物処理材の構成として、本件出願人は、特開２００３−２７４７８０号に示される動物用排泄物処理材を創案した。
【０００３】
特開２００３−２７４７８０号に係る動物用排泄物処理材は、吸収性粒状体を形成する工程と、この吸収性粒状体の表面に水溶性着色料により染色された水溶性接着剤を塗布する工程と、この水溶性接着剤の表面に吸水性表層を接着する工程とにより製造された。なお、吸水性表層は、水溶性接着剤を有する吸水性粒状体にまぶされることにより固定されていた。
【０００４】
一方、特開２００３−２７４７８０号に係る動物用排泄物処理材においては、吸水性表層を、水溶性接着剤を有する吸水性粒状体にまぶして固定するものであるため、吸水性表層が剥離するおそれがあるという問題があった。
【先行技術文献】
【特許文献】
【０００５】
【特許文献１】特開２００３−２７４７８０号公報
【発明の概要】
【発明が解決しようとする課題】
【０００６】
本発明は、このような点に鑑みて創案されたものであり、動物用排泄物処理材に関する一層合理的な構築技術を提供することを目的とする。
【課題を解決するための手段】
【０００７】
上記課題を解決するため、動物用排泄物処理材の製造方法は、粉砕され加水された原材料を造粒し粒状コア層材料を得る工程と、粒状コア層材料に液状着色料を不均一に塗布し着色コア層材料を得る工程と、着色コア層材料に被覆材料を被覆し被覆粒状材料を得る工程と、被覆粒状材料を乾燥させる工程とを有する。
着色コア層材料に被覆材料を被覆し被覆粒状材料を得る工程においては、着色コア層材料に被覆材料を配置する工程と、被覆材料が配置された着色コア層材料に振動を加える工程とを有する。
着色コア層材料に被覆材料を配置する工程においては、粉砕され加水された原材料を造粒し粒状コア層材料を得る工程における水分と、粒状コア層材料に液状着色料を塗布し着色コア層材料を得る工程における水分とにより膨潤され粘着性が発現した状態の着色コア層材料に対し被覆材料が配置される。
被覆材料が配置された着色コア層材料に振動を加える工程においては、着色コア層材料が搬送機構により搬送されるとともに、振動により着色コア層材料が搬送機構から跳躍し、搬送機構へ落下することにより被覆材料が着色コア層材料に押し付けられる。
【０００８】
また本発明に係る動物用排泄物処理材の製造方法における解決手段の一態様として、着色コア層材料に被覆材料を配置する工程においては、回転ドラムが使用される。
【０００９】
また本発明に係る動物用排泄物処理材の製造方法における解決手段の一態様として、被覆粒状材料を乾燥させる工程においては、被覆粒状材料の下方から熱風が吹きつけられることにより、被覆粒状材料が浮遊と落下を繰り返しながら乾燥される。
【００１０】
また本発明に係る動物用排泄物処理材の製造方法における解決手段の一態様として、着色コア層材料に被覆材料を被覆し被覆粒状材料を得る工程は、次工程として、被覆粒状材料の大きさを選別する工程を有する。
そして、被覆粒状材料を乾燥させる工程においては、被覆粒状材料の大きさを選別する工程にて選別された被覆材料が乾燥される。
【００１１】
また本発明に係る動物用排泄物処理材の製造方法における解決手段の一態様として、被覆粒状材料の大きさを選別する工程においては、ふるいが使用される。
【００１２】
また本発明に係る動物用排泄物処理材の製造方法における解決手段の一態様として、粉砕され加水された原材料を造粒し粒状コア層材料を得る工程は、原材料を粉砕することによって粉砕材料を得る工程と、粉砕材料を加水した後で混練することによって練状コア層材料を得る工程と、練状コア層材料から粒状コア層材料を得る工程とを有する。
原材料を粉砕することによって粉砕材料を得る工程においては、粉砕機により原材料を粉砕することによって粉砕材料が得られる。
粉砕機は、第１の粉砕機と、当該第１の粉砕機に連続された第２の粉砕機とにより構成されており、第１の粉砕機は、第１のメッシュスクリーンと、当該第１のメッシュスクリーンに設けられた第１の開口とを有し、第２の粉砕機は、第２のメッシュスクリーンと、当該第２のメッシュスクリーンに設けられた第２の開口とを有する。
そして、第１の開口は、第２の開口よりも大きく形成されることにより、原材料である使い捨ておむつの製造工程にて発生した使い捨ておむつのロス資材から、粉砕材料であるパルプと高吸水性ポリマーを得る構成とされる。
練状コア層材料から粒状コア層材料を得る工程においては、練状コア層材料に所定の圧力を加えて排出口から排出する押出し式圧縮造粒機と、当該押出し式圧縮造粒機から押し出された練状コア層材料を切断し粒状コア層材料を得る回転ブレードとを有する。
押出し式圧縮造粒機の排出口から排出された練状コア層材料には、当該練状コア層材料が排出口から排出される際に圧力から解放されることにより発生する亀裂による亀裂部が形成される。
【００１３】
また本発明に係る動物用排泄物処理材の製造方法における解決手段の一態様として、被覆材料が配置された着色コア層材料に振動を加える工程においては、着色コア層材料における亀裂部を含む表面に被覆材料が被覆される。
【００１４】
また本発明に係る動物用排泄物処理材の製造方法における解決手段の一態様として、粒状コア層材料に液状着色料を不均一に塗布し着色コア層材料を得る工程においては、粒状コア層材料が収容可能に形成された内壁面を有する着色料塗布室と、当該着色料塗布室を有するとともに回転機構により回転される回転ドラムと、液状着色料を噴出するノズルと、当該ノズルに対し液状着色料を供給するパイプとを有する着色料塗布機が使用される。
粒状コア層材料に液状着色料を不均一に塗布し着色コア層材料を得る工程は、粒状コア層材料を回転ドラムに搬入する工程と、回転ドラム内にて粒状コア層材料を落下させる工程と、回転ドラム内にて落下状態の粒状コア層材料に液状着色料を噴出する工程とを有する。
粒状コア層材料を回転ドラムに搬入する工程においては、粒状コア層材料を回転ドラムにおける着色料塗布室に搬入する。
回転ドラム内にて粒状コア層材料を落下させる工程においては、回転機構により回転された回転ドラムにて粒状コア層材料に加えられた遠心力よりも重力の方が大きくなることによって粒状コア層材料が着色料塗布室の内壁面から離間するとともに回転しつつ落下される。
回転ドラム内にて落下状態の粒状コア層材料に液状着色料を噴出する工程においては、回転しつつ落下される粒状コア層材料における落下方向と交差する方向から液状着色料をノズルにより噴出することにより、粒状コア層材料に着色料が含浸された第１の領域と、粒状コア層材料に着色料が含浸されるとともに含浸されきれなかった液状着色料が粒状コア層材料の表面上において硬化されることにより形成された第２の領域と、粒状コア層材料の表面上に液状着色料が塗布されていない領域である第３の領域の内、少なくとも二つの領域が形成される。
【００１５】
また本発明に係る動物用排泄物処理材の製造方法における解決手段の一態様として、粉砕材料であるパルプは第１のパルプを形成し、高吸水性ポリマーは第１の高吸水性ポリマーは第１の高吸水性ポリマーを形成する。
【００１６】
また本発明に係る動物用排泄物処理材の製造方法における解決手段の一態様として、被覆材料は、第２のパルプと、第２の高吸水性ポリマーと、吸水することにより接着性を発現可能に形成されている吸水性接着剤とにより構成される。
【００１７】
さらに、上記課題を解決するため、動物用排泄物処理材の製造装置は、粉砕され加水された原材料を造粒し粒状コア層材料を得る装置と、粒状コア層材料に液状着色料を不均一に塗布し着色コア層材料を得る装置と、着色コア層材料に被覆材料を被覆し被覆粒状材料を得る装置と、被覆粒状材料を乾燥させる装置と、を有する。
着色コア層材料に被覆材料を被覆し被覆粒状材料を得る装置においては、着色コア層材料に被覆材料を配置する装置と、被覆材料が配置された着色コア層材料に振動を加える装置とを有する。
着色コア層材料に被覆材料を配置する装置においては、粉砕され加水された原材料を造粒し粒状コア層材料を得る装置により加えられた水分と、粒状コア層材料に液状着色料を塗布し着色コア層材料を得る装置により加えられた水分とにより膨潤され粘着性が発現した状態の着色コア層材料に対し被覆材料が配置される。
被覆材料が配置された着色コア層材料に振動を加える装置においては、着色コア層材料が搬送機構により搬送されるとともに、振動により着色コア層材料が搬送機構から跳躍し、搬送機構へ落下することにより被覆材料が着色コア層材料に押し付けられる。
【００１８】
また本発明に係る動物用排泄物処理材の製造装置における解決手段の一態様として、着色コア層材料に被覆材料を配置する装置においては、回転ドラムが使用される。
【００１９】
また本発明に係る動物用排泄物処理材の製造装置における解決手段の一態様として、被覆粒状材料を乾燥させる装置においては、被覆粒状材料の下方から熱風が吹きつけられることにより、被覆粒状材料が浮遊と落下を繰り返しながら乾燥される。
【００２０】
また本発明に係る動物用排泄物処理材の製造装置における解決手段の一態様として、着色コア層材料に被覆材料を被覆し被覆粒状材料を得る装置は、さらに、被覆粒状材料の大きさを選別する装置を有する。
被覆粒状材料を乾燥させる装置においては、被覆粒状材料の大きさを選別する装置にて選別された被覆材料が乾燥される。
【００２１】
また本発明に係る動物用排泄物処理材の製造装置における解決手段の一態様として、被覆粒状材料の大きさを選別する装置においては、ふるいが使用される。
【００２２】
また本発明に係る動物用排泄物処理材の製造装置における解決手段の一態様として、粉砕され加水された原材料を造粒し粒状コア層材料を得る装置は、原材料を粉砕することによって粉砕材料を得る装置と、粉砕材料を加水した後で混練することによって練状コア層材料を得る装置と、練状コア層材料から粒状コア層材料を得る装置とを有する。
原材料を粉砕することによって粉砕材料を得る装置においては、粉砕機により原材料を粉砕することによって粉砕材料が得られる。
粉砕機は、第１の粉砕機と、当該第１の粉砕機に連続された第２の粉砕機とにより構成されており、第１の粉砕機は、第１のメッシュスクリーンと、当該第１のメッシュスクリーンに設けられた第１の開口とを有し、第２の粉砕機は、第２のメッシュスクリーンと、当該第２のメッシュスクリーンに設けられた第２の開口とを有する。
そして、第１の開口は、第２の開口よりも大きく形成されることにより、原材料である使い捨ておむつの製造装置にて発生した使い捨ておむつのロス資材から、粉砕材料であるパルプと高吸水性ポリマーを得る構成とされる。
練状コア層材料から粒状コア層材料を得る装置においては、練状コア層材料に所定の圧力を加えて排出口から排出する押出し式圧縮造粒機と、当該押出し式圧縮造粒機から押し出された練状コア層材料を切断し粒状コア層材料を得る回転ブレードとを有する。
押出し式圧縮造粒機の排出口から排出された練状コア層材料には、当該練状コア層材料が排出口から排出される際に圧力から解放されることにより発生する亀裂による亀裂部が形成される。
【００２３】
また本発明に係る動物用排泄物処理材の製造装置における解決手段の一態様として、被覆材料が配置された着色コア層材料に振動を加える装置においては、着色コア層材料における亀裂部を含む表面に被覆材料が被覆される。
【００２４】
また本発明に係る動物用排泄物処理材の製造装置における解決手段の一態様として、粒状コア層材料に液状着色料を不均一に塗布し着色コア層材料を得る装置においては、粒状コア層材料が収容可能に形成された内壁面を有する着色料塗布室と、当該着色料塗布室を有するとともに回転機構により回転される回転ドラムと、液状着色料を噴出するノズルと、当該ノズルに対し液状着色料を供給するパイプとを有する着色料塗布機が使用される。
粒状コア層材料に液状着色料を不均一に塗布し着色コア層材料を得る装置は、回転ドラム内にて粒状コア層材料を落下させる装置と、回転ドラム内にて落下状態の粒状コア層材料に液状着色料を噴出する装置とを有する。
回転ドラム内にて粒状コア層材料を落下させる装置においては、回転機構により回転された回転ドラムにて粒状コア層材料に加えられた遠心力よりも重力の方が大きくなることによって粒状コア層材料が着色料塗布室の内壁面から離間するとともに回転しつつ落下される。
回転ドラム内にて落下状態の粒状コア層材料に液状着色料を噴出する装置においては、回転しつつ落下される粒状コア層材料における落下方向と交差する方向から液状着色料をノズルにより噴出する。
これによって、粒状コア層材料に着色料が含浸された第１の領域と、粒状コア層材料に着色料が含浸されるとともに含浸されきれなかった液状着色料が粒状コア層材料の表面上において硬化されることにより形成された第２の領域と、粒状コア層材料の表面上に液状着色料が塗布されていない領域である第３の領域の内、少なくとも二つの領域が形成される。
【００２５】
また本発明に係る動物用排泄物処理材の製造装置における解決手段の一態様として、粉砕材料であるパルプは第１のパルプを形成し、高吸水性ポリマーは第１の高吸水性ポリマーは第１の高吸水性ポリマーを形成する。
【００２６】
また本発明に係る動物用排泄物処理材の製造装置における解決手段の一態様として、被覆材料は、第２のパルプと、第２の高吸水性ポリマーと、吸水することにより接着性を発現可能に形成されている吸水性接着剤とにより構成される。
【発明の効果】
【００２７】
本発明によれば、動物用排泄物処理材に関する一層合理的な構築技術を提供することが可能となる。
【図面の簡単な説明】
【００２８】
【図１】動物用排泄物処理材の斜視図である。
【図２】図１におけるＹ１−Ｙ１線の断面図である。
【図３】図１におけるＸ１−Ｘ１線の断面図である。
【図４】本発明に係る動物用排泄物処理材の製造工程を示すフローチャート図である。
【図５】圧縮工程を示す説明図である。
【図６】圧縮工程を示す説明図である。
【図７】圧縮工程を示す説明図である。
【図８】粉砕機を示す説明図である。
【図９】メッシュスクリーンを示す説明図である。
【図１０】着色料塗布機を示す説明図である。
【図１１】図１０における側面断面図である。
【図１２】着色料塗布工程を示す説明図である。
【図１３】ベルトコンベアを示す説明図である。
【図１４】振動発生モーターを示す説明図である。
【発明を実施するための最良の形態】
【００２９】
以下に、本発明に係る動物排泄物処理材の製造方法を、図１〜図１４に基づき説明する。本実施の形態における「動物」は、脊椎動物（哺乳類、爬虫類、鳥類、両性類）や無脊椎動物を広く包含するが、典型的には、猫、犬、ウサギ、ハムスターなどといった愛玩動物がこれに該当する。
【００３０】
（動物用排泄物処理材の説明）
図１は、本発明に係る製造方法にて製造された動物用排泄物処理材の断面図である。動物用排泄物処理材１００は、コア層１１０と、コア層１１０の表面に形成された着色層１２０と、着色層１２０の表面に形成された被覆層１３０とにより形成される。この動物用排泄物処理材１００が、本発明に係る「動物用排泄物処理材」の一例である。このコア層１１０が、本発明に係る「コア層」の一例である。この着色層１２０が、本発明に係る「着色層」の一例である。この被覆層１３０が、本発明に係る「被覆層」の一例である。
【００３１】
なお、被覆層１３０は、乾燥状態においては白色を呈しており、着色層１２０の配色を見え難くしている。すなわち、この被覆層１３０の白色は、被覆層１３０を形成している第２のパルプ１３１および第２の高吸水性ポリマー１３２の表面が光線を乱反射することにより発現される。一方、被覆層１３０は、湿潤状態においては光線透過率を向上させる。よって、湿潤状態においては、ユーザは、動物用排泄物処理材の表面側から着色層１２０の配色をより鮮明に認識することが可能となる。
なお、本発明において、「配色」とは、単に色彩のみを表すものではない。本発明に係る「配色」は、明度、輝度、濃淡などを含むものである。
【００３２】
コア層１１０は、コア層１１０の表層に対して凹んだ部分である亀裂部１１０Ａを有する。この亀裂部１１０Ａに対し、被覆層１３０が形成される。よって被覆層１３０は、コア層１１０から剥離し難くなる。
【００３３】
コア層１１０は、第１のパルプ１１１と、第１の高吸水性ポリマー１１２とにより構成される。この第１のパルプ１１１が、本発明に係る「第１の一次保水部材」の一例である。この第１の高吸水性ポリマー１１２が、本発明に係る「第１の二次保水部材」の一例である。
第１のパルプ１１１は、繊維長が２０ｍｍ以下であり、繊維径が２００μｍ以下である。
第１の高吸水性ポリマー１１２は、粒径が２ｍｍ以下である。
【００３４】
着色層１２０は、後に説明する通り、コア層１１０を形成する粒状コア層材料１１０２に対し、不均一な塗布状況となるように液状着色料１２０１を吐出することにより形成される。
すなわち、コア層１１０は、コア層１１０に対して液状着色料１２０１が含浸されて着色層１２０が形成されている第１の領域１１０Ｂを有する。また、コア層１１０は、コア層１１０の表面上に液状着色料１２０１が硬化することにより着色層１２０が形成された第２の領域１１０Ｃを有する。また、コア層１１０は、液状着色料１２０１が塗布されていない領域である第３の領域１１０Ｄを有する。
なお、本発明において「着色料（ｃｏｌｏｒｉｎｇ  ａｇｅｎｔ）」とは、対象に対し配色を施すものであり、化学合成によるもの、天然物から抽出されたものを含む。また、本発明において「着色料」とは、染料（ｄｙｅｓｔｕｆｆｓ）や顔料（ｐｉｇｍｅｎｔ）などの着色を施すものを包含する概念である。
【００３５】
本発明において、コア層１１０が「不均一」な着色層１２０を有すること、および粒状コア層材料１１０２が「不均一」に液状着色料１２０１を塗布されることにつき説明する。
まず、コア層１１０が、第１の領域１１０Ｂ、第２の領域１１０Ｃおよび第３の領域１１０Ｄの内の少なくとも二つの領域を有した場合を、着色層１２０もしくは液状着色料１２０１の塗布状態が「不均一」であるとする。
また、コア層１１０が第１の領域１１０Ｂのみを有する場合は、コア層１１０に対し、液状着色料１２０１の含浸深さが異なる領域が形成されている場合を、着色層１２０もしくは液状着色料１２０１の塗布状態が「不均一」であるとする。
また、コア層１１０が第２の領域１１０Ｃのみを有する場合は、コア層１１０に対し、着色層１２０の高さが異なる領域が形成されている場合を、着色層１２０もしくは液状着色料１２０１の塗布状態が「不均一」であるとする。
【００３６】
被覆層１３０は、第２のパルプ１３１と、第２の高吸水性ポリマー１３２と、吸水接着剤１３３とにより構成される。この第２のパルプ１３１が、本発明に係る「第２の一次保水部材」の一例である。この第２の高吸水性ポリマー１３２が、本発明に係る「第２の二次保水部材」の一例である。この吸水接着剤１３３が、本発明に係る「吸水接着剤」の一例である。
第２のパルプ１３１は繊維長が２０ｍｍ以下であり、繊維径が２００μｍ以下である。なお、この第２のパルプ１３１は、第１のパルプ１１１と比して繊維長が短く形成される。これにより、第２のパルプ１３１はコア層１１０（着色層１２０）の表面に対し、良好に接続することができる。
第２の高吸水性ポリマー１３２は粒径が２ｍｍ以下である。
吸水接着剤１３３は、吸水することにより接着性を発現させる。吸水接着剤１３３は具体的にはスターチが使用される。スターチは、タピオカスターチや、馬鈴薯スターチや、タピオカスターチなど、この種の動物用排泄物処理材において使用されるものを適宜選択することができる。
【００３７】
（作用）
本発明の実施形態に係る動物用排泄物処理材１００の作用を説明する。
ユーザは、適量の動物用排泄物処理材１００を容器に入れる。動物は、動物用排泄物処理材１００に対し排泄を行う。動物用排泄物処理材１００の被覆層１３０は、排泄の水分により光線透過率を向上させる。その結果、ユーザは動物用排泄物処理材１００の外側から着色層１２０の配色を確認することができる。
【００３８】
なお、動物用排泄物処理材１００においては、被覆層１３０の第２のパルプ１３１がまず保水を行う。次に、コア層１１０の第１のパルプ１１１が保水を行う。次に、第２のパルプ１３１の水分や、動物の直接的な排泄が被覆層１３０の第２の高吸水性ポリマー１３２に移行する。次に、コア層１１０の第１の高吸水性ポリマー１１２が保水を行う。次に、吸水接着剤１３３が吸水により接着性を発現させる。
この排泄物の保水動作の順序は、あくまでも理論上のものである。すなわち、着色層１２０の形成状態や、排泄の量などに応じて、各構成の保水動作の順序が入れ替わることがある。また、各構成の保水動作が同時に行われることもある。
【００３９】
着色層１２０は、コア層１１０に対して不均一に設けられている。すなわち、コア層１１０の第１の領域１１０Ｂの内、コア層１１０の表面から浅い領域に対し、液状着色料１２０１が含浸されている領域を有する。動物の排泄物は、この領域を通過することにより、コア層１１０に対し円滑に吸収される。また、コア層１１０の第３の領域１１０Ｄは、着色層１２０を有していない。よって、動物の排泄物は、第３の領域１１０Ｄを通過することにより、コア層１１０に対して円滑に吸収される。
すなわち、本発明に係る動物用排泄物処理材１００は、着色層１２０が不均一に形成されているため、動物の排泄物をコア層１１０に円滑に取り込むことができる。
【００４０】
被覆層１３０の第２の高吸水性ポリマー１３２は、吸水により膨潤し、さらに粘着性を発現させる。よって、となりあう動物用排泄物処理材１００同士は接着される。この結果、複数の動物用排泄物処理材１００による集合体が形成される。この際、第２の高吸水性ポリマー１３２が乾燥により粘着性を低減させても、吸水接着剤１３３が接着性を維持している。よって、複数の動物用排泄物処理材１００の集合状態を維持することができる。
よって、ユーザは、着色層１２０により動物の排泄を認識した後、動物用排泄物処理材１００の集合体を容易に容器から取り除くことができる。
【００４１】
（製造工程全体の説明）
次に、図４に基づき本発明に係る動物用排泄物処理材の製造工程を説明する。
造粒工程Ｓ１は、原料粉砕工程Ｓ１１と、混合・撹拌工程Ｓ１２と、圧縮工程Ｓ１３と、切断工程Ｓ１４とにより形成される。造粒工程Ｓ１の次に、被覆工程Ｓ２へ移行される。被覆工程Ｓ２は、着色料塗布工程Ｓ２１と、被覆材料の被覆工程Ｓ２２とにより形成される。被覆工程Ｓ２以降は、分流工程Ｓ３、乾燥工程Ｓ４、調整工程Ｓ５へ移行され、動物用排泄物処理材が完成される。
【００４２】
まず、造粒工程Ｓ１につき説明する。この造粒工程Ｓ１が、本発明に係る「原材料を造粒し粒状物を得る工程」の一例である。原料粉砕工程Ｓ１１では、使い捨ておむつの製造工程にて発生した使い捨ておむつのロス資材や、パルプが原材料として取り扱われる。原材料は、後述する粉砕機３００（シュレッダー）により粉砕される。この粉砕機３００により粉砕された原材料は、粉砕材料とされる。
【００４３】
次に、混合・撹拌工程Ｓ１２では、粉砕材料を加水した後に混練する。混練の過程においては、混練物の水分率を確認する。すなわち、水分や原材料の投入量を調整し、所定の水分量とする。
なお、この混合・撹拌工程Ｓ１２においては、第１のパルプ１１１となるべきパルプが繊維長２ｍｍ以下に加工される。また、第１の高吸水性ポリマーとなるべき高吸水性ポリマーが粒径２８μｍ以下に加工される。
このようにして、練状コア層材料１１０１が形成される。
【００４４】
次に、圧縮工程Ｓ３では、原材料が脱水された後、ローラーにて圧縮される。この段階で、練状コア層材料１１０１の水分率は１５〜２５重量パーセントに調整される。
この圧縮工程Ｓ３の製造工程を、図５〜図７に基づき説明する。練状コア層材料１１０１は、押出し式圧縮造粒装置２００にて造粒される。この押出し式圧縮造粒装置２００は、特開２０１１−１７２５１５号に開示された装置等を使用することができる。
押出し式圧縮造粒機２００の要部は、ダイステーブル２１０と、ダイステーブル２１０に設けられた投入口２２０と、排出口２４０と、投入口２２０と排出口２４０を連続する通路２３０とにより形成される。
【００４５】
まず、図５に示す如く、練状コア層材料１１０１は、ダイステーブル２１０の投入口２２０へ向けて移送される。なお、この練状コア層材料１１０１の機械方向ＭＤにおける移送は、この種の押出し式圧縮造粒機における周知の構成により実現される。
次に、図６に示す如く、機械方向ＭＤに移送された練状コア層材料１１０１は通路２３０を通過する。この際、練状コア層材料１１０１は、所定の圧力を受ける。
次に、図７に示す如く、練状コア層材料１１０１は、ダイステーブル２１０の排出口２４０より排出される。この際、練状コア層材料１１０１は急激に圧力から解放される。よって、練状コア層材料１１０１には、亀裂が生ずる。この亀裂が、動物用排泄物処理材１００のコア層１１０における亀裂部１１０Ａとなる。
なお、押出し式圧縮造粒機２００の排出口２４０から排出された練状コア層材料１１０１は、直径が２．５ｍｍ以上、８ｍｍ以下とされる。
【００４６】
次に、切断工程Ｓ１４では、押出し式圧縮造粒装置２００にて押し出された練状コア層材料１１０１を、回転ブレードにて切断し、粒状コア層材料１１０２を得る。
【００４７】
次に、被覆工程Ｓ２の説明を行う。切断工程Ｓ１４で得られた粒状物は、着色料塗布工程Ｓ２１へ移行される。着色料塗布工程Ｓ２１では、粒状コア層材料１１０２に着色料溶液が塗布される。具体的には、回転ドラム内にて着色料溶液が粒状物に噴出されることにより、粒状コア層材料１１０２に着色料溶液が塗布される。この工程により、粒状コア層材料１１０２から、着色コア層材料を得る。なお、この着色料塗布工程Ｓ２１は、後に詳述する。
【００４８】
次に、被覆材料の被覆工程Ｓ２２では、着色コア層材料に被覆材料を被覆させる。被覆材料は、第２のパルプ１３１と、第２の高吸水性ポリマー１３２と、吸水接着剤１３３が混合されたものである。
なお、着色コア層材料に対する被覆材料の被覆作業は、周知の被覆機により行われる。
この被覆材料の被覆工程Ｓ２２が、本発明に係る「前記粒状物に被覆材料を被覆させる工程」の一例である。
【００４９】
そして、被覆材料が被覆された着色コア層材料は、ベルトコンベアに移送される。被覆材料は、ベルトコンベアの振動により、着色コア層材料に固定される。なお、この着色コア層材料に対する被覆材料の固定作業については、後に詳述する。
この工程により、着色コア層材料から被覆粒状材料を得る。
【００５０】
次に、分粒工程Ｓ３では、被覆粒状材料の大きさを選別する。すなわち、振動された一定の大きさのふるいにより、小さい粒径の被覆粒状材料を選別する。
【００５１】
次に、乾燥工程Ｓ４では、被覆粒状材料の下方から熱風を吹き付ける。これにより、被覆粒状材料は浮遊と落下を繰り返しながら乾燥される。よって、粒状被覆材料の表面が押し固められる。
【００５２】
次に、調整工程Ｓ５では、品質テストの結果により選別された粒状物を、全体として所望の動物用排泄物処理材となるよう、ブレンドする。
以上の工程を経て、動物用排泄物処理材が完成される。
【００５３】
なお、本発明の工程Ｓ１〜Ｓ５において、工程から工程における材料（練状コア層材料１１０１や、粒状コア層材料１１０２や、粒状被覆材料）の移送は、様々な方法を適宜使用することができる。例えば、ベルトコンベアのような機械的な移送手段を用いることができる。また、一方の工程で得た材料を容器に収容し、当該容器をフォークリフト、台車、人力等により他方の工程へ運ぶことができる。
【００５４】
（原料粉砕工程Ｓ１１の説明）
次に、図８〜図９に基づき原料粉砕工程Ｓ１１およびそれに係る製造装置を説明する。
粉砕機３００は、この種の粉砕機に係る周知の構成を有する。すなわち、粉砕機３００は、原材料の投入口３１０と、原材料の粉砕室３２０と、粉砕室３２０内に設けられた粉砕機構３３０と、粉砕機構３３０により粉砕された原材料が通過されるとともに複数の開口３４１を有するメッシュスクリーン３４０と、メッシュスクリーン３４０の開口３４１に連続される排出口３５０とを有する。原材料は、投入口３１０から投入され、排出口３５０を経ることにより、粉砕材料とされる。
【００５５】
粉砕機３００は、第１の粉砕機と、この第１の粉砕機に連続された第２の粉砕機とにより構成される。なお、第１の粉砕機と第２の粉砕機とは直列的に接続される。
第１の粉砕機は、第１のメッシュスクリーンと、当該第１のメッシュスクリーンに設けられた第１の開口とを有する。
第２の粉砕機は、第２のメッシュスクリーンと、当該第２のメッシュスクリーンに設けられた第２の開口とを有する。
第１の開口は、第２の開口よりも大きく形成されている。
【００５６】
なお、本発明に係る実施形態においては、第１の開口と、第２の開口とはともに円形とされている。この際、第１の開口の直径は、第２の開口の直径よりも大きい。
具体的には、第１の開口の直径は１０ｍｍであり、第２の開口の直径は２ｍｍである。よって、第１の開口の面積は、第２の開口の面積よりも大きい。
なお、第１の開口と第２の開口とは、必ずしも円形である必要はない。
【００５７】
粉砕機構３３０は、回転体３３１と、回転体３３１に設けられた複数の羽体３３２とにより形成される。
回転体の回転速度は１，０００ｒｐｍである。なお、第１の粉砕機と、第２の粉砕機における回転速度は、ともに同一である。
【００５８】
なお、上述の例では粉砕機３００は、第１の粉砕機と第２の粉砕機とにより構成された例を説明した。一方、粉砕機３００としては単一の粉砕機を使用することも可能である。また、メッシュスクリーンにおける開口の大きさも適宜選択することができる。
【００５９】
（着色料塗布工程Ｓ２１の説明）
次に、図１０〜図１２に基づき着色料塗布工程Ｓ２１およびそれに係る装置を説明する。
粒状コア層材料１１０２に着色料を塗布する工程は、粒状コア層材料１１０２を浮遊させる工程と、浮遊された粒状コア層材料１１０２に液状着色料１２０１を噴出する工程とを有する。この粒状コア層材料１１０２に対する液状着色料１２０１の噴出は、着色料塗布機４００により行われる。
着色料塗布機４００は、粒状コア層材料１１０２に液状着色料１２０１を塗布する工程においては、回転ドラム４１０と、回転ドラム４１０の内部に設けられるとともに粒状コア層材料１１０２が収容可能に形成された着色料塗布室４２０と、粒状コア層材料１１０２に対し液状着色料１２０１を塗布するノズル４４０とにより構成される。ノズル４４０は、液状着色料１２０１を輸送するパイプ４３０に接続される。
【００６０】
粒状コア層材料１１０２を浮遊させる工程においては、粒状コア層材料１１０２が着色料塗布室４２０を形成する内壁面４２０Ａから離間される。本発明においては、着色料塗布室４２０の内壁面４２０Ａから粒状コア層材料１１０２が離間した状態を、「浮遊」と記す。
【００６１】
粒状コア層材料１１０２の、着色料塗布機４２０の壁面４２０Ａからの「浮遊」につき図１２に基づき説明する。粒状コア層材料１１０２は、回転ドラム４１０の着色料塗布室４２０に搬入される。回転ドラム４１０は、図示しない回転機構により回転される。回転ドラム４１０の回転に伴う遠心力によって、粒状コア層材料１１０２は着色料塗布室４２０の内壁面４２０Ａに押し付けられる。この状態においては、粒状コア層材料１１０２にかかる遠心力の方が、重力よりも大きい。
一方、回転ドラム４１０の回転が進行すると、粒状コア層材料１１０２にかかる遠心力よりも重力の方が大きくなる。すると、粒状コア層材料１１０２は内壁面４２０Ａから離間し、矢印ＧＤ方向へ落下する。すなわち、粒状コア層材料１１０２は「浮遊」する。この浮遊状態における粒状コア層材料１１０２は回転している。
ノズル４４０は、浮遊状態の粒状コア層材料１１０２に向けられている。そして、粒状コア層材料１１０２に対し、液状着色料１２０１を吐出する。この際、シャワーにて吹き付ける液状着色料１２０１の体積は、着色料塗布室４２０に搬入された粒状コア層材料１１０２の表面積よりも少なくされている。
【００６２】
すなわち、粒状コア層材料１１０２は、回転されつつ浮遊されている状態にて、液状着色料１２０１が塗布されることとなる。
よって、少量の液状着色料１２０１が塗布された粒状コア層材料１１０２の領域は、この少量の液状着色料１２０１が含浸される。これにより、コア層１１０における第１の領域１１０Ｂが形成される。
また、多量の液状着色料１２０１が塗布された粒状コア層材料１１０２の領域は、この多量の液状着色料１２０１が含浸されるとともに、含浸されきれなかった液状着色料１２０１が粒状コア層材料１１０２の領域において乾燥し、硬化される。よって、この粒状コア層材料１１０２の領域における表面には、着色層１２０が形成される。これにより、コア層１１０における第２の領域１１０Ｃが形成される。
また、液状着色料１２０１が塗布されない粒状コア層材料１１０２の領域が存在することとなる。これにより、コア層１１０における第３の領域１１０Ｄが形成される。
これにより、不均一な着色層１２０を有するコア層１１０が形成される。
【００６３】
なお上述において、粒状コア層材料１１０２の「浮遊」は、粒状コア層材料１１０２にかかる回転ドラム４１０の遠心力と重力のバランスにより生ずることを説明した。一方、本発明に係る粒状コア層材料１１０２の「浮遊」は、他の状況によっても実現できる。例えば、粒状コア層材料１１０２が円柱形状をしている場合、粒状コア層材料１１０２の長軸方向の端部が回転している回転ドラム４１０の内壁面４２０Ａに接する。この場合、粒状コア層材料１１０２は回転している内壁面４２０Ａに弾かれ、内壁面４２０Ａから離間する。このような状態であっても、粒状コア層材料１１０２は内壁面４２０Ａに対して「浮遊」させられる。
【００６４】
なお、着色料塗布工程Ｓ２１における具体的な条件は次の通りである。
粒状コア層材料１１０２の大きさは、直径が２ｍｍ〜１０ｍｍである。ノズル４４０から吐出される液状着色料１２０１の吐出量は０．７リットル／秒である。回転ドラム４１０の直径は８００ｍｍである。回転ドラム４１０の回転数は７．５〜１１．２５ｒｐｍ／ｍｉｎである。
【００６５】
（被覆材料の被覆工程Ｓ２２の説明）
次に、図１３〜図１４に基づき被覆材料の被覆工程Ｓ２２およびそれに係る装置を説明する。
粒状コア層材料１１０２に被覆材料（図示しない）を被覆させる工程においては、粒状コア層材料１１０２に被覆材料を配置する工程と、被覆材料が配置された粒状コア層材料１１０２に振動を加える工程とにより形成される。この粒状コア層材料１１０２に被覆材料を配置する工程が、本発明に係る「前記粒状物に被覆材料を配置する工程」の一例である。この被覆材料が配置された粒状コア層材料１１０２に振動を加える工程が、本発明に係る「前記被覆材料が配置された粒状物に振動を加える工程」の一例である。
【００６６】
前記被覆材料は、動物の排泄物を保水可能に形成されている第２のパルプ１３１と、第２のパルプ１３１に保水された排泄物を保水可能に形成されている第２の高吸水性ポリマー１３２と、吸水することにより接着性を発現可能に形成されている吸水接着剤１３３とにより構成される。この被覆材料が動物用排泄物処理材１００の被覆層１３０を形成する。
粒状コア層材料１１０２に対する被覆材料の配置作業は、特開２００３−２７４７８０号に記載された回転ドラム等の周知の装置を採用することができる。
【００６７】
被覆材料が配置された粒状コア層材料１１０２に振動を加える工程においては、粒状コア層材料１１０２が図１３に示されるベルトコンベア５００により搬送される。ベルトコンベア５００は、粒状コア層材料１１０２を搬送する搬送部５１０と、搬送部５１０に振動を加える振動発生部５３０とを有する。なお、この振動発生部５３０による振動は、ダンパー５２０により吸収される。これにより、ベルトコンベア５００を支持する基部５４０へは振動が伝わりにくい。このベルトコンベア５００が、本発明に係る「搬送機構」の一例である。この搬送部５１０が、本発明に係る「搬送部」の一例である。この振動発生部５３０が、本発明に係る「振動発生部」の一例である。
【００６８】
振動発生部５３０は、振動発生モーター５５０により構成される。振動発生モーター５５０は、シャフト５５２を回転させるための周知の機構を有する本体５５１を有する。
シャフト５５２には、ウェイト５５３が設けられている。ウェイト５５３は、シャフト５５２を挟んでそれぞれ対向する第１のウェイト領域５５３Ａと、第２のウェイト領域５５３Ｂとを有する。第１のウェイト領域５５３Ａの長軸方向における長さと、第２のウェイト領域５５３Ｂの長軸方向における長さは異なる。このウェイト５５３の構成により、振動発生モーター５５０は搬送部５１０を振動させることができる。
【００６９】
被覆材料は、振動発生部５３０から搬送部５１０に加えられた振動により、粒状コア層材料１１０２に押し付けられる。すなわち、搬送部５１０が振動されているため、粒状コア層材料１１０２も振動する。よって、粒状コア層材料１１０２は、搬送部５１０から跳ね上がり、そして搬送部５１０へと落下する。この粒状コア層材料１１０２の搬送部５１０への落下により、被覆材料が粒状コア層材料１１０２へ押し付けられる。
【００７０】
なお、この被覆材料の被覆工程Ｓ２２においては、粒状コア層材料１１０２は水分を含有している。すなわち、粒状コア層材料１１０２は、混合・撹拌工程Ｓ１２において加えられた水分と、着色料塗布工程Ｓ２１において加えられた水分を保有する。よって、粒状コア層材料１１０２の第１の高吸水性ポリマー１１２は膨潤され、粘着性を発現している。この粘着性が発現された第１の高吸水性ポリマー１１２により、被覆材料は粒状コア層材料１１０２に接着される。さらに、振動発生部５３０の振動により、被覆材料の粒状コア層材料１１０２への固定が確実となる。
【００７１】
なお上述のベルトコンベア５００においては、振動発生部５３０により、搬送部５１０へ強制的に振動を加えていた。一方、ベルトコンベア５００の構成次第では、搬送部５１０を駆動することのみにより、搬送部５１０に所定の振動が加わる場合がある。このような場合は、ベルトコンベア５００に振動発生部５３０を設ける必要はない。
【００７２】
なお、被覆材料の被覆工程Ｓ２２における具体的な条件は次の通りである。
粒状コア層材料１１０２の大きさは、直径が２ｍｍ〜１０ｍｍである。被覆材料における第２のパルプ１３１の割合は、６０重量パーセントである。被覆材料における第２の高吸水性ポリマー１３２の割合は１０重量パーセントである。被覆材料における吸水接着剤１３３の割合は３０重量パーセントである。振動発生モーター５５０の運転条件は、１．５ｋであり、１，７００ｒｐｍである。粒状コア層材料１１０２がベルトコンベア５００を通過する時間は９０秒である。
【００７３】
なお、本発明に係る動物用排泄物処理材の製造方法およびその製造装置は上述したものに限られないものである。特に、製造装置においては従来より周知の製造装置を適宜選択することが可能である。
【００７４】
（実施の形態と本発明の各構成要素の対応について）
動物用排泄物処理材１００は、本発明に係る「動物用排泄物処理材」の一例である。コア層１１０は、本発明に係る「コア層」の一例である。着色層１２０は、本発明に係る「着色層」の一例である。被覆層１３０は、本発明に係る「被覆層」の一例である。第１のパルプ１１１は、本発明に係る「第１の一次保水部材」の一例である。第１の高吸水性ポリマー１１２は、本発明に係る「第１の二次保水部材」の一例である。第２のパルプ１３１は、本発明に係る「第２の一次保水部材」の一例である。第２の高吸水性ポリマー１３２は、本発明に係る「第２の二次保水部材」の一例である。吸水接着剤１３３は、本発明に係る「吸水接着剤」の一例である。造粒工程Ｓ１は、本発明に係る「原材料を造粒し粒状物を得る工程」の一例である。被覆材料の被覆工程Ｓ２２は、本発明に係る「前記粒状物に被覆材料を被覆させる工程」の一例である。粒状コア層材料１１０２に被覆材料を配置する工程は、本発明に係る「前記粒状物に被覆材料を配置する工程」の一例である。被覆材料は、配置された粒状コア層材料１１０２に振動を加える工程は、本発明に係る「前記被覆材料は、配置された粒状物に振動を加える工程」の一例である。ベルトコンベア５００は、本発明に係る「搬送機構」の一例である。搬送部５１０は、本発明に係る「搬送部」の一例である。振動発生部５３０は、本発明に係る「振動発生部」の一例である。
【００７５】
以上の本発明の特質に鑑み、以下の各種の構成態様が構築できる。
（態様１）
動物用排泄物処理材の製造方法であって、
原材料を造粒し粒状物を得る工程と、
前記粒状物に被覆材料を被覆させる工程と、を有し、
前記粒状物に被覆材料を被覆させる工程においては、前記粒状物に被覆材料を配置する工程と、前記被覆材料が配置された粒状物に振動を加える工程とを有することを特徴とする動物用排泄物処理材の製造方法。
（態様２）
態様１に記載された動物用排泄物処理材の製造方法であって、
前記被覆材料が配置された粒状物に振動を加える工程においては、前記粒状物が搬送機構により搬送されることを特徴とする動物用排泄物処理材の製造方法。
（態様３）
態様２に記載された動物用排泄物処理材の製造方法であって、
前記搬送機構は、前記粒状物を搬送する搬送部と、当該搬送部に振動を加える振動発生部とを有することを特徴とする動物用排泄物処理材の製造方法。
（態様４）
態様１〜３のいずれか１項に記載された動物用排泄物処理材の製造方法であって、
前記被覆材料は、前記振動発生部から前記搬送部に加えられた振動により、前記粒状物に押し付けられることを特徴とする動物用排泄物処理材の製造方法。
（態様５）
態様１〜４に記載された動物用排泄物処理材の製造方法であって、
前記粒状物は、動物の排泄物を保水可能に形成されている第１の一次保水部材と、当該第１の一次保水部材に保水された排泄物を保水可能に形成されているとともに水分により粘着性を発現する第１の二次保水部材とにより形成されることを特徴とする動物用排泄物処理材の製造方法。
（態様６）
態様５に記載された動物用排泄物処理材の製造方法であって、
前記粒状物に被覆材料を被覆させる工程における前記粒状物は、水分を含有していることを特徴とする動物用排泄物処理材の製造方法。
（態様７）
態様６に記載された動物用排泄物処理材の製造方法であって、
前記粒状物に配置された前記被覆材料は、前記第１の二次保水部材の粘着力により前記粒状物に固定されることを特徴とする動物用排泄物処理材の製造方法。
（態様８）
態様１〜７のいずれか１項に記載された動物用排泄物処理材の製造方法であって、
前記粒状物は、使い捨ておむつの製造工程において発生したパルプと高吸水性ポリマーにより形成されることを特徴とする動物用排泄物処理材の製造方法。
（態様９）
態様８に記載された動物用排泄物処理材の製造方法であって、
前記パルプは、前記第１の一次保水部材を形成することを特徴とする動物用排泄物処理材の製造方法。
（態様１０）
態様８または９のいずれか１項に記載された動物用排泄物処理材の製造方法であって、
前記高吸水性ポリマーは、前記第１の二次保水部材を形成することを特徴とする動物用排泄物処理材の製造方法。
（態様１１）
態様１〜１０に記載された動物用排泄物処理材の製造方法であって、
前記被覆材料は、動物の排泄物を保水可能に形成されている第２の一次保水部材と、当該第２の一次保水部材に保水された排泄物を保水可能に形成されている第２の二次保水部材と、吸水することにより接着性を発現可能に形成されている吸水接着剤とにより構成されることを特徴とする動物用排泄物処理材の製造方法。
（態様１２）
態様１〜１１のいずれか１項に記載された動物用排泄物処理材の製造方法であって、
前記動物用排泄物処理材は、コア層と、当該コア層に設けられた着色層と、当該着色層を有する前記コア層を被覆する被覆層とにより形成されることを特徴とする動物用排泄物処理材の製造方法。
（態様１３）
態様１２に記載された動物用排泄物処理材の製造方法であって、
前記コア層は、前記粒状物により形成されることを特徴とする動物用排泄物処理材の製造方法。
（態様１４）
態様１２または１３のいずれか１項に記載された動物用排泄物処理材の製造方法であって、
前記着色層は、前記コア層に対して不均一に形成されていることを特徴とする動物用排泄物処理材の製造方法。
（態様１５）
態様１２〜１４のいずれか１項に記載された動物用排泄物処理材の製造方法であって、
前記被覆層は、前記被覆材料により形成されていることを特徴とする動物用排泄物処理材の製造方法。
（態様１６）
動物用排泄物処理材の製造装置であって、
原材料が造粒されてなる粒状物に被覆材料を配置する被覆材料の配置装置と、
前記被覆材料が配置された粒状物を搬送する搬送機構とを有し、
前記搬送機構は、前記被覆材料が配置された粒状物に振動を加えることを特徴とする動物用排泄物処理材の製造装置。
（態様１７）
態様１６に記載された動物用排泄物処理材の製造装置であって、
前記搬送機構は、前記被覆材料が配置された粒状物を搬送する搬送部と、当該搬送部に振動を加える振動発生部とを有することを特徴とする動物用排泄物処理材の製造装置。
【符号の説明】
【００７６】
１００  動物用排泄物処理材
１１０  コア層
１１０１  練状コア層材料
１１０２  粒状コア層材料（粒状物）
１１０２Ａ  落下状態の粒状コア層材料
１１０Ａ  亀裂部
１１０Ｂ  第１の領域
１１０Ｃ  第２の領域
１１０Ｄ  第３の領域
１１１  第１のパルプ（第１の一次保水部材）
１１２  第１の高吸水性ポリマー（第１の二次保水部材）
１２０  着色層            
１２０１  液状着色料
１２１  着色料部
１３０  被覆層
１３１  第２のパルプ（第２の一次保水部材）
１３２  第２の高吸水性ポリマー（第２の二次保水部材）
１３３  吸水接着剤
２００  押出し式圧縮造粒機
２１０  ダイステーブル
２２０  投入口
２３０  通路
２４０  排出口
３００  粉砕機
３１０  投入口
３２０  粉砕室
３３０  粉砕機構
３３１  回転体
３３２  羽体
３４０  メッシュスクリーン
３４１  開口
３５０  排出口
４００  着色料塗布機
４１０  回転ドラム
４２０  着色料塗布室
４２０Ａ  内壁面
４３０  送液パイプ
４４０  ノズル
５００  ベルトコンベア（搬送機構）
５１０  搬送部
５２０  ダンパー
５３０  振動発生部
５４０  基部
５５０  振動発生モーター
５５１  本体
５５２  シャフト
５５３  ウェイト
５５３Ａ  第１のウェイト領域
５５３Ｂ  第２のウェイト領域
Ｓ１  造粒工程
Ｓ１１  原料粉砕工程
Ｓ１２  混合・撹拌工程
Ｓ１３  圧縮工程
Ｓ１４  切断工程
Ｓ２  被覆工程
Ｓ２１  着色料塗布工程
Ｓ２２  被覆材料の被覆工程
Ｓ３  分粒工程
Ｓ４  乾燥工程
Ｓ５  調整工程
ＧＤ  落下方向
ＭＤ  機械方向
【要約】
【課題】  動物用排泄物処理材に関する一層合理的な構築技術を提供する。
【解決手段】
動物用排泄物処理材の製造方法および製造装置であって、原材料を造粒し粒状物１１０２を得る工程と、粒状物１１０２に被覆材料を被覆させる工程と、を有し、粒状物１１０２に被覆材料を被覆させる工程においては、粒状物１１０２に被覆材料を配置する工程と、被覆材料が配置された粒状物１１０２に振動を加える工程とを有する。
【選択図】図１３【図１】
0005421482.tif 000002
【図２】
0005421482.tif 000003
【図３】
0005421482.tif 000004
【図４】
0005421482.tif 000005
【図５】
0005421482.tif 000006
【図６】
0005421482.tif 000007
【図７】
0005421482.tif 000008
【図８】
0005421482.tif 000009
【図９】
0005421482.tif 000010
【図１０】
0005421482.tif 000011
【図１１】
0005421482.tif 000012
【図１２】
0005421482.tif 000013
【図１３】
0005421482.tif 000014
【図１４】
0005421482.tif 000015